(57)【要約】      （修正有）【課題】製造コストの低減及び保管スペースや在庫管理の容易化をはかることができる動物捕獲装置を提供する。【解決手段】捕獲檻体１は前部檻体Ｍ及び後部檻体Ｈの二分割構成とされ、前部檻体に侵入開口部Ｋ及び侵入開口部を開閉可能な落戸体Ｔが昇降自在に形成され、後部檻体は侵入開口部及び落戸体を有しない檻部材ＨＮと侵入開口部及び落戸体を有する檻部材の二種類が形成され、前部檻体と二種類の檻部材から選択された後部檻体とは連結機構２により着脱自在に連結されている。また、侵入開口部を介して捕獲檻体内に動物が侵入したとき侵入開口部を閉塞すべく落戸体を落下させる作動機構５を設けてなる。【選択図】図３
0003210135.tif 000002
【実用新案登録請求の範囲】
【請求項１】
捕獲檻体に侵入開口部が形成され、該捕獲檻体に該侵入開口部を開閉可能な落戸体が昇降自在に設けられ、該侵入開口部を介して該捕獲檻体内に動物が侵入したとき該侵入開口部を閉塞すべく該落戸体を落下させる作動機構を設けてなり、上記捕獲檻体は前部檻体及び後部檻体の二分割構成とされ、該前部檻体に上記侵入開口部及び落戸体が形成され、該後部檻体は上記侵入開口部及び落戸体を有しない檻部材と上記侵入開口部及び落戸体を有する檻部材の二種類が形成され、該前部檻体と該二種類の檻部材から選択された後部檻体とは連結機構により着脱自在に連結され、該前部檻体と該後部檻体との突合部分に仕切堰板を挿脱可能な挿脱間隙部を設けてなることを特徴とする動物捕獲装置。
【請求項２】
上記連結機構は前部檻体と後部檻体との間に掛架可能な掛架部材と、該掛架部材を前部檻体及び後部檻体に固定する取付ボルトとからなることを特徴とする請求項１記載の動物捕獲装置。
【考案の詳細な説明】
【技術分野】
【０００１】
本考案は例えば猪、猪豚、熊等の野生動物を捕獲する際に用いられる動物捕獲装置に関するものである。
【背景技術】
【０００２】
従来、この種の動物捕獲装置として、捕獲檻体に侵入開口部が形成され、捕獲檻体に侵入開口部を開閉可能な落戸体が昇降自在に設けられ、侵入開口部を介して捕獲檻体内に動物が侵入したとき侵入開口部を閉塞すべく落戸体を落下させる作動機構を設けた構造のものが知られている。
【０００３】
又、これら動物捕獲装置の構造として、捕獲檻体の前部に侵入開口部が形成され、その侵入開口部を開閉可能な落戸体が設けられた片開き構造のもの、捕獲檻体の前部及び後部に侵入開口部がそれぞれ形成され、その前後の二つの侵入開口部を開閉可能な前後二個の落戸体がそれぞれ設けられた両開き構造の二種類のものが知られている。
【先行技術文献】
【特許文献】
【０００４】
【特許文献１】特開２００５−１６８４７３
【考案の概要】
【考案が解決しようとする課題】
【０００５】
しかしながら上記従来構造の場合、上記片開き構造のものと、上記両開き構造の二種類のものが存在し、このため、二種類の動物捕獲装置を製造し、保管することになり、片開き構造及び両開き構造に専用化され、製造コストの高騰化を招いたり、保管スペースや在庫管理が複雑化し易いことがあるという不都合を有している。
【課題を解決するための手段】
【０００６】
本考案はこれらの不都合を解決することを目的とするもので、本考案のうちで、請求項１記載の考案は、捕獲檻体に侵入開口部が形成され、該捕獲檻体に該侵入開口部を開閉可能な落戸体が昇降自在に設けられ、該侵入開口部を介して該捕獲檻体内に動物が侵入したとき該侵入開口部を閉塞すべく該落戸体を落下させる作動機構を設けてなり、上記捕獲檻体は前部檻体及び後部檻体の二分割構成とされ、該前部檻体に上記侵入開口部及び落戸体が形成され、該後部檻体は上記侵入開口部及び落戸体を有しない檻部材と上記侵入開口部及び落戸体を有する檻部材の二種類が形成され、該前部檻体と該二種類の檻部材から選択された後部檻体とは連結機構により着脱自在に連結され、該前部檻体と該後部檻体との突合部分に仕切堰板を挿脱可能な挿脱間隙部を設けてなることを特徴とする動物捕獲装置にある。
【０００７】
又、請求項２記載の考案は、上記連結機構は前部檻体と後部檻体との間に掛架可能な掛架部材と、該掛架部材を前部檻体及び後部檻体に固定する取付ボルトとからなることを特徴とするものである。
【考案の効果】
【０００８】
本考案は上述の如く、請求項１記載の考案にあっては、捕獲檻体は前部檻体及び後部檻体の二分割構成とされ、前部檻体に侵入開口部及び落戸体が形成され、後部檻体は侵入開口部及び落戸体を有しない檻部材と侵入開口部及び落戸体を有する檻部材の二種類が形成され、前部檻体と二種類の檻部材から選択された後部檻体とは連結機構により着脱自在に連結され、後部檻体として二種類の檻部材のうちから侵入開口部及び落戸体を有しない檻部材を選択した場合、片開き構造を構成することができ、又、後部檻体として二種類の檻部材のうちから侵入開口部及び落戸体を有する檻部材を選択した場合、両開き構造を構成することができ、前部檻体を共用化することができ、片開き構造専用のもの及び両開き構造専用のものの二種類の専用装置を製造する必要がなくなり、二種類の専用機を保管することもなくなり、製造コストの低減及び保管スペースや在庫管理の容易化をはかることができ、さらに、前部檻体と二種類の檻部材から選択された後部檻体との突合部分に仕切堰板を挿脱可能な挿脱間隙部を設けているから、捕獲した動物の暴れ回りを防ぐ仕切堰板を挿脱可能な挿脱間隙部の形成を容易に行うことができる。
【０００９】
又、請求項２記載の考案にあっては、上記連結機構は前部檻体と後部檻体との間に掛架可能な掛架部材と、掛架部材を前部檻体及び後部檻体に固定する取付ボルトとからなるので、前部檻体と後部檻体との着脱を容易に行うことができ、片開き構造及び両開き構造の変更を容易に行うことができ、仕様変更に対する融通性を得ることができ、使用の利便性を高めることができる。
【図面の簡単な説明】
【００１０】
【図１】本考案の実施の第一形態例の全体斜視図である。
【図２】本考案の実施の第一形態例の全体平面図である。
【図３】本考案の実施の第一形態例の分解斜視図である。
【図４】本考案の実施の第一形態例の部分分解斜視図である。
【図５】本考案の実施の第一形態例の部分平面図である。
【図６】本考案の実施の第一形態例の部分断面図である。
【図７】本考案の実施の第一形態例の部分断面図である。
【図８】本考案の実施の第一形態例の部分斜視図である。
【図９】本考案の実施の第一形態例の部分断面図である。
【図１０】本考案の実施の第一形態例の部分平面図である。
【図１１】本考案の実施の第一形態例の部分断面図である。
【図１２】本考案の実施の第一形態例の部分斜視図である。
【図１３】本考案の実施の第一形態例の部分断面図である。
【図１４】本考案の実施の第二形態例の全体斜視図である。
【図１５】本考案の実施の第二形態例の全体平面図である。
【図１６】本考案の実施の第二形態例の分解斜視図である。
【図１７】本考案の実施の第二形態例の部分平面図である。
【図１８】本考案の実施の第二形態例の部分断面図である。
【図１９】本考案の実施の第二形態例の部分斜視図である。
【図２０】本考案の実施の第二形態例の部分平面図である。
【図２１】本考案の実施の第二形態例の部分斜視図である。
【考案を実施するための形態】
【００１１】
図１乃至図２１は本考案の実施の形態例を示し、図１乃至図１３は片開き構造の第一形態例、図１４乃至図２１は両開き構造の第二形態例である。
【００１２】
図１乃至図２１の実施の形態例において、１は捕獲檻体であって、この場合、捕獲檻体１は前部檻体Ｍ及び後部檻体Ｈの二分割構成とされ、前部檻体Ｍに侵入開口部Ｋ及び落戸体Ｔが形成され、後部檻体Ｈは侵入開口部Ｋ及び落戸体Ｄを有しない檻部材ＨＮと侵入開口部Ｋ及び落戸体Ｄを有する檻部材ＨＥの二種類が形成され、前部檻体Ｍと二種類の檻部材ＨＮ・ＨＥから選択された後部檻体Ｈとは連結機構２により着脱自在に連結され、前部檻体Ｍと二種類の檻部材ＨＮ・ＨＥから選択された後部檻体Ｈとの突合部分に仕切堰板Ｓを挿脱可能な挿脱間隙部Ｒを設けて構成している。
【００１３】
すなわち、後部檻体Ｈとして二種類の檻部材ＨＮ・ＨＥのうちから檻部材ＨＮを選択した場合は、上記片開き構造の第一形態例となり、又、後部檻体Ｈとして二種類の檻部材ＨＮ・ＨＥのうちから檻部材ＨＥを選択した場合、上記両開き構造の第二形態例となる。
【００１４】
しかして、先ず、図１乃至図１３の上記片開き構造の第一形態例を説明すると、この場合、図１、図２、図３、図１２、図１３の如く、捕獲檻体１は前部檻体Ｍと檻部材ＨＮからなる後部檻体Ｈとから構成され、前部檻体Ｍに侵入開口部Ｋ及び落戸体Ｔを有し、後部檻体Ｈには侵入開口部Ｋ及び落戸体Ｄを有しない構造となっており、前部檻体Ｍと檻部材ＨＮからなる後部檻体Ｈとは連結機構２により着脱自在に連結され、前部檻体Ｍと後部檻体Ｈとの突合部分に仕切堰板Ｓを挿脱可能な挿脱間隙部Ｒを設けて構成している。
【００１５】
この場合、図４の如く、上記連結機構２は前部檻体Ｍと後部檻体Ｈとの間に掛架可能な複数個の掛架部材２ａ・・と、掛架部材２ａを前部檻体Ｍ及び後部檻体Ｈに固定する複数個の取付ボルト２ｂ・・とから構成され、この場合、取付穴２ｃ・２ｃ、通穴Ｂ・Ｂ及び取付ナットＣ・Ｃを備えて構成され、又、仕切堰板Ｓは木製の合板により形成されている。
【００１６】
又、この場合、図１、図２、図３の如く、捕獲檻体１を構成する前部檻体Ｍ及び後部檻体Ｈはいずれも金属製にして上面、底面、前面、後面及び両側面からなる四角枠状に形成され、各面には複数個の格子桟が止着され、後部檻体Ｈの上面にツキノワグマ用の脱出口３を形成して構成している。
【００１７】
この場合、図１、図２、図１１の如く、落戸体Ｔは金属製にして四角枠及び複数個の格子桟からなり、上記侵入開口部Ｋを開閉可能な大きさに形成され、侵入開口部Ｋの両側部に断面凹形状のガイド杆４・４を対向配設し、落戸体Ｔをガイド杆４・４により上昇位置から下降位置へと自重落下するように構成している。
【００１８】
５は作動機構であって、この場合、図１、図２、図５、図６、図７、図８、図９、図１０の如く、上記捕獲檻体１の上面に取付部材６を固定配設し、この取付部材６に旋回部材７の中程部を支点軸８により枢着して旋回自在に配置し、旋回部材７の一方端部に係脱部９を形成し、この場合、旋回部材７の一方端部に切欠凹部７ａを形成して突出片状の係脱部９を形成し、この係脱部９に連繋ロープ１０の一方端部を連繋リング１０ａを介して係脱自在に掛止すると共に連繋ロープ１０の他方端部を落戸体Ｔの下部の格子桟に連結具１０ｂを介して掛止している。
【００１９】
又、この場合、図１、図２、図５、図６、図７、図８、図９、図１０の如く、上記旋回部材７の他方端部に牽引ロープ１１の一方端部を止め穴７ｂにより縛着掛止すると共に牽引ロープ１１の他方端部を捕獲檻体１の側面部分の格子桟に縛着掛止して捕獲檻体１内に侵入した動物Ｗにより牽引される牽引ロープ１１の牽引部分１１ａを形成し、取付部材６に旋回部材７に係脱可能なロック杆１２を上下動自在に設け、図５、図６、図７、図８の如く、ロック杆１２を下降してロック杆１２を旋回部材７から離反して旋回部材７の旋回を許容し、図９の如く、ロック杆１２を上昇してロック杆１２を旋回部材７に当接して旋回部材７の旋回を阻止するように構成している。
【００２０】
１３は助長部材であって、この場合、図５、図６、図８の如く、軸状に形成され、上記取付部材６に上記連繋ロープ１０の一方端部の連繋リング１０ａに当接して旋回部材７の係脱部９からの連繋ロープ１０の離脱を助長する位置に植設されている。
【００２１】
１４は係留機構であって、落戸体Ｔを上昇位置に係留可能な係留部材１４ａを備えてなり、この場合、図１、図２の如く、上記捕獲檻体１の侵入開口部Ｋの左右両側部の断面凹形状のガイド杆４・４に四角枠状の支持枠１４ｂを固着し、支持枠１４ｂに係留部材１４ａを図示省略のバネ部材により弾圧突設し、係留部材１４ａを落戸体Ｔの底面に当接離反自在に設け、落戸体Ｔを係留部材１４ａにより上昇位置に係留すると共に係留部材１４ａを釈放位置に引動したとき落戸体Ｔの上昇位置から下降位置への自重落下を許容するように構成している。
【００２２】
１５は案内機構であって、上記牽引ロープ１１を上記捕獲檻体１に迂回案内可能に設けられ、この場合、図１の如く、上記捕獲檻体１の側面部に案内滑車１５ａを回転自在に取付け、上記旋回部材７の他方端部に縛着掛止された牽引ロープ１１の他方端部を捕獲檻体１の上面角部で折り返して案内滑車１５ａに掛回したのちに捕獲檻体１の側面部分の格子桟に縛着掛止し、捕獲檻体１の側面部分間に牽引ロープ１１を張架し、侵入した動物Ｗにより牽引される牽引ロープ１１の牽引部分１１ａを形成して構成している。
【００２３】
この実施の第一形態例は上記構成であるから、先ずは、図１の如く、係留機構１４の係留部材１４ａにより落戸体Ｔを上昇位置に係留し、図１、図５、図６、図７、図８、図９の如く、上記旋回部材７の一方端部の係脱部９に連繋ロープ１０の一方端部の前連繋リング１０ａを係脱自在に掛止すると共に連繋ロープ１０の他方端部を落戸体Ｔの下部の格子桟に連結具１０ａを介して掛止し、旋回部材７の他方端部に牽引ロープ１１の一方端部を止め穴７ｂにより縛着掛止すると共に牽引ロープ１１の他方端部を捕獲檻体１の側面部分の格子桟に縛着掛止すると共に捕獲檻体１内に侵入した動物Ｗにより牽引される牽引ロープ１１の牽引部分１１ａを形成し、これら準備作業が完了したら、係留機構１４の係留部材１４ａを引動すると共にロック杆１２による旋回部材７のロックを解除し、落戸体Ｔは連繋ロープ１０により吊下され、侵入開口部Ｋの開口状態が保持され、この開口状態で動物Ｗの侵入を待つことになる。
【００２４】
そして、この開口状態で、捕獲檻体１内に侵入開口部Ｋを介して動物Ｗが侵入して捕獲檻体１内の牽引ロープ１１の牽引部分１１ａに動物Ｗが掛かり、動物Ｗが牽引ロープ１１を牽引すると、図１０の如く、旋回部材７は支点軸８を中心として旋回し、連繋ロープ１０は係脱部９から離脱し、旋回部材７の旋回に伴って助長部材１３に連繋ロープ１０が当接して助長部材１３は係脱部９からの連繋ロープ１０の離脱を助長し、係脱部９からの連繋ロープ１０の離脱により落戸体Ｔは上昇位置から下降位置へと落戸体Ｔの大きな自重により急速降下し、侵入開口部Ｋは閉塞され、捕獲檻体１内に動物Ｗを捕獲することになる。
【００２５】
次いで、図１４乃至図２１の上記両開き構造の第二形態例を上記第一形態例と同一態様部分には同一の符号を付して説明すると、この場合、図１４、図１５、図１６、図２１の如く、捕獲檻体１は前部檻体Ｍと後部檻体Ｈとして檻部材ＨＥからなる後部檻体Ｈとから構成され、前部檻体Ｍに侵入開口部Ｋ及び落戸体Ｔを有し、後部檻体Ｈにも侵入開口部Ｋ及び別の落戸体Ｄを有する構造となっており、前部檻体Ｍと檻部材ＨＥからなる後部檻体Ｈとは連結機構２により着脱自在に連結され、前部檻体Ｍと後部檻体Ｈとの突合部分に仕切堰板Ｓを挿脱可能な挿脱間隙部Ｒを設けて構成している。
【００２６】
この場合、図１４、図１５、図１６の如く、捕獲檻体１を構成する前部檻体Ｍ及び後部檻体Ｈはいずれも金属製にして上面、底面、前面、後面及び両側面からなる四角枠状に形成され、各面には複数個の格子桟が止着され、後部檻体Ｈの上面にツキノワグマ用の脱出口３を形成して構成している。
【００２７】
この場合、図１１、図１４、図１５の如く、前部檻体Ｍ及び後部檻体Ｈの二個の落戸体Ｔ・Ｄは金属製にして四角枠及び複数個の格子桟からなり、上記二個の侵入開口部Ｋ・Ｋを開閉可能な大きさに形成され、二個の侵入開口部Ｋ・Ｋの各両側部に断面凹形状のガイド杆４・４を対向配設し、落戸体Ｔ・Ｄをガイド杆４・４により上昇位置から下降位置へと自重落下するように構成している。
【００２８】
この場合、作動機構５として、図１５、図１７、図１８、図１９、図２０の如く、上記捕獲檻体１に取付部材６を固定配設し、取付部材６に旋回部材７の中程部を支点軸８により枢着して旋回自在に配置し、旋回部材７の一方端部に係脱部９を形成し、係脱部９に連繋ロープ１０の一方端部を係脱自在に掛止すると共に連繋ロープ１０の他方端部を落戸体Ｔに掛止し、旋回部材７の他方端部に牽引ロープ１１の一方端部を掛止すると共に牽引ロープ１１の他方端部を捕獲檻体１の側面部分に掛止して捕獲檻体１内に侵入した動物Ｗにより牽引される牽引ロープ１１の牽引部分１１ａを形成し、取付部材６に連繋ロープ１０に当接して旋回部材７の係脱部９からの連繋ロープ１０の離脱を助長する助長部材１３を配置し、連繋ロープ１０の一方端部の連繋リング１０ａに別の連繋ロープ１６の一方端部のリング結び目１６ａを係脱自在に掛止すると共に別の連繋ロープ１６の他方端部を取付部材６に植設した折返杆１８を介して上記別の落戸体Ｄの下部の格子桟に連結具１６ｂを介して掛止して構成している。
【００２９】
１７は別の係留機構であって、落戸体Ｄを上昇位置に係留可能な別の係留部材１７ａを備えてなり、この場合、図１４、図１５の如く、上記捕獲檻体１の他の侵入開口部Ｋの左右両側部の断面凹形状のガイド杆４・４に四角枠状の支持枠１７ｂを固着し、支持枠１７ｂに別の係留部材１７ａを図示省略のバネ部材により弾圧突設し、別の係留部材１７ａを別の落戸体Ｄの底面に当接離反自在に設け、上記別の落戸体Ｄを別の係留部材１７ａにより上昇位置に係留すると共に係留部材１７ａを引動したとき別の落戸体Ｄの上昇位置から下降位置への自重落下を許容するように構成している。
【００３０】
この実施の第二形態例は上記構成であるから、先ずは、図１４の如く、係留機構１４の係留部材１４ａにより落戸体Ｔを上昇位置に係留すると共に別の係留機構１７の係留部材１７ａにより別の落戸体Ｄを上昇位置に係留し、図１４、図１７、図１８、図１９の如く、上記旋回部材７の一方端部の係脱部９に連繋ロープ１０の一方端部の連繋リング１０ａを係脱自在に掛止すると共に連繋ロープ１０の他方端部を落戸体Ｔの下部の格子桟に連結具１０ｂを介して掛止し、旋回部材７の他方端部に牽引ロープ１１の一方端部を止め穴７ｂにより縛着掛止すると共に牽引ロープ１１の他方端部を捕獲檻体１の側面部分の格子桟に縛着掛止すると共に捕獲檻体１内に侵入した動物Ｗにより牽引される牽引ロープ１１の牽引部分１１ａを形成し、連繋ロープ１０の一方端部の連繋リング１０ａに別の連繋ロープ１６の一方端部のリング結び目１６ａを係脱自在に掛止すると共に別の連繋ロープ１６の他方端部を折返杆１８を介して上記別の落戸体Ｄの下部の格子桟に連結具１６ｂを介して掛止し、これら準備作業が完了したら、係留機構１４の係留部材１４ａ及び係留機構１７の係留部材１７ａを引動すると共にロック杆１２による旋回部材７のロックを解除し、落戸体Ｔは連繋ロープ１０により吊下され、別の落戸体Ｄは別の連繋ロープ１６により吊下され、侵入開口部Ｋ及び他の侵入開口部Ｋの開口状態が保持され、この開口状態で動物Ｗの侵入を待つことになる。
【００３１】
そして、この開口状態で、捕獲檻体１内に侵入開口部Ｋ及び又は他の侵入開口部Ｋを介して動物Ｗが侵入して捕獲檻体１内の牽引ロープ１１の牽引部分１１ａに動物Ｗが掛かり、動物Ｗが牽引ロープ１１を牽引すると、図２０の如く、旋回部材７は支点軸８を中心として旋回し、連繋ロープ１０は係脱部９から離脱すると共に別の連繋ロープ１６の一方端部のリング結び目１６ａは連繋ロープ１０の一方端部の連繋リング１０ａから離脱し、旋回部材７の旋回に伴って助長部材１３に連繋ロープ１０が当接して助長部材１３は係脱部９からの連繋ロープ１０の離脱を助長し、係脱部９からの連繋ロープ１０及び連繋ロープ１０からの別の連繋ロープ１６の離脱により落戸体Ｔ及び別の落戸体Ｄはそれぞれ上昇位置から下降位置へと落戸体Ｔ及び別の落戸体Ｄの大きな自重により急速降下し、侵入開口部Ｋ及び他の侵入開口部Ｋは閉塞され、捕獲檻体１内に動物Ｗを捕獲することになる。
【００３２】
したがって、上記実施の形態例にあっては、捕獲檻体１は前部檻体Ｍ及び後部檻体Ｈの二分割構成とされ、前部檻体Ｍに侵入開口部Ｋ及び落戸体Ｔが形成され、後部檻体Ｈは侵入開口部Ｋ及び落戸体Ｄを有しない檻部材ＨＮと侵入開口部Ｋ及び落戸体Ｄを有する檻部材ＨＥの二種類が形成され、前部檻体Ｍと二種類の檻部材ＨＮ・ＨＥから選択された後部檻体Ｈとは連結機構２により着脱自在に連結され、後部檻体Ｈとして二種類の檻部材ＨＮ・ＨＥのうちから侵入開口部Ｋ及び落戸体Ｄを有しない檻部材ＨＮを選択した場合、上記片開き構造の第一形態例を構成することができ、又、後部檻体Ｈとして二種類の檻部材ＨＮ・ＨＥのうちから侵入開口部Ｋ及び落戸体Ｄを有する檻部材ＨＥを選択した場合、上記両開き構造の第二形態例を構成することができ、前部檻体Ｍを共用化することができ、片開き構造専用のもの及び両開き構造専用のものの二種類の専用装置を製造する必要がなくなり、二種類の専用機を保管することもなくなり、製造コストの低減及び保管スペースや在庫管理の容易化をはかることができ、さらに、前部檻体Ｍと二種類の檻部材ＨＮ・ＨＥから選択された後部檻体Ｈとの突合部分に仕切堰板Ｓを挿脱可能な挿脱間隙部Ｒを設けているから、捕獲した動物Ｗの暴れ回りを防ぐ仕切堰板Ｓを挿脱可能な挿脱間隙部Ｒの形成を容易に行うことができる。
【００３３】
又、この場合、上記連結機構２は前部檻体Ｍと後部檻体Ｈとの間に掛架可能な掛架部材２ａと、掛架部材２ａを前部檻体Ｍ及び後部檻体Ｈに固定する取付ボルト２ｂとからなるので、前部檻体Ｍと後部檻体Ｈとの着脱を容易に行うことができ、片開き構造及び両開き構造の変更を容易に行うことができ、仕様変更に対する融通性を得ることができ、使用の利便性を高めることができる。
【００３４】
尚、本考案は上記実施の形態例に限られるものではなく、例えば、上記ロープにはアラミド繊維等の繊維製ロープ、金属製ロープ、金属製ワイヤ等を含むものであり、捕獲檻体１、前部檻体Ｍ、後部檻体Ｈ、檻部材ＨＮ・ＨＥ、落戸体Ｔ及び別の落戸体Ｄ、作動機構５、係留機構１４及び別の係留機構１７、案内機構１５等の構造等は適宜変更して設計されるものである。
【００３５】
以上、所期の目的を充分達成することができる。
【符号の説明】
【００３６】
Ｍ    前部檻体
Ｈ    後部檻体
Ｋ    侵入開口部
Ｔ    落戸体
ＨＮ    檻部材
Ｄ    落戸体
ＨＥ  檻部材
Ｓ    仕切堰板
Ｒ    挿脱間隙部
Ｗ    動物
１    捕獲檻体
２    連結機構
２ａ    掛架部材
２ｂ    取付ボルト
５    作動機構
【図１】
0003210135.tif 000003
【図２】
0003210135.tif 000004
【図３】
0003210135.tif 000005
【図４】
0003210135.tif 000006
【図５】
0003210135.tif 000007
【図６】
0003210135.tif 000008
【図７】
0003210135.tif 000009
【図８】
0003210135.tif 000010
【図９】
0003210135.tif 000011
【図１０】
0003210135.tif 000012
【図１１】
0003210135.tif 000013
【図１２】
0003210135.tif 000014
【図１３】
0003210135.tif 000015
【図１４】
0003210135.tif 000016
【図１５】
0003210135.tif 000017
【図１６】
0003210135.tif 000018
【図１７】
0003210135.tif 000019
【図１８】
0003210135.tif 000020
【図１９】
0003210135.tif 000021
【図２０】
0003210135.tif 000022
【図２１】
0003210135.tif 000023